(57)【要約】      （修正有）【課題】生産性を向上することができ、強度を上げ、モダンが耳掛け部に対してねじれにくい眼鏡フレームを提供する。【解決手段】芯金部１７と、芯金部１７から延びる耳掛け部１８とを有するテンプル１６を備えた眼鏡フレーム１２において、耳掛け部１８が、芯金部１７と一体に設けられた。耳掛け部を芯金部に一体に設けることで、耳掛け部を芯金部にろう付けする場合と比べて強度を向上することができる。【選択図】図１
0003144966.tif 000002
【実用新案登録請求の範囲】
【請求項１】
芯金部と、該芯金部から延びる耳掛け部とを有するテンプルを備えた眼鏡フレームにおいて、
前記耳掛け部が、前記芯金部と一体に設けられたことを特徴とする眼鏡フレーム。
【請求項２】
前記耳掛け部は、前記芯金部から延びる複数の延伸部からなることを特徴とする請求項１に記載の眼鏡フレーム。
【請求項３】
前記眼鏡フレームは更に、前記耳掛け部を被覆して前記耳掛け部に取り付けるモダンを有し、
前記モダンの上縁と下縁に、前記延伸部が挿通するスリットが設けられたことを特徴とする請求項１又は２に記載の眼鏡フレーム。
【考案の詳細な説明】
【技術分野】
【０００１】
本考案は、眼鏡フレームに関する。
【背景技術】
【０００２】
従来、眼鏡フレームの耳掛け部と、耳掛け部に取り付けるモダンとして種々の形状が提案されている。
【０００３】
例えば図４（Ａ）に示すように、従来の眼鏡フレームに用いられたテンプル５１の耳掛け部５２は、芯金部５３にろう付けされている。また、図４（Ｂ）に示すように、ドリルで円形断面に加工されたモダン５４の中空部５５に合致するように、耳掛け部５２の断面形状も円形に形成されていた。
【０００４】
しかし、耳掛け部５２を芯金部５３にろう付けすると、生産性が悪くなるという問題があった。また、ろう付けのみでは芯金部５３と耳掛け部５２との間の強度が低くなるという問題があった。更に、耳掛け部５２とモダン５４の中空部５５とを円形断面にして係合すると、モダン５４が耳掛け部５２の円周方向にねじれやすいという問題があった。
【考案の開示】
【考案が解決しようとする課題】
【０００５】
本考案は、前記従来の問題点に鑑みてなされたもので、生産性を向上することができ、強度を上げ、モダンが耳掛け部に対してねじれにくい眼鏡フレームを提供することを課題とする。
【課題を解決するための手段】
【０００６】
前記課題を解決するための手段として、本考案に係る眼鏡フレームは、芯金部と、該芯金部から延びる耳掛け部とを有するテンプルを備えた眼鏡フレームにおいて、前記耳掛け部は、前記芯金部と一体に設けられたものである。
【０００７】
具体的な１つの手段として、前記耳掛け部は、前記芯金部から延びる複数の延伸部からなることが好ましい。
【０００８】
前記眼鏡フレームは更に、前記耳掛け部を被覆して前記耳掛け部に取り付けられるモダンを有し、前記モダンの上縁と下縁に、前記延伸部が挿通するスリットが設けられたことが好ましい。
【考案の効果】
【０００９】
本考案に係る眼鏡フレームによれば、耳掛け部を芯金部に一体に設けることで、耳掛け部を芯金部にろう付けする場合と比べて、強度を向上することができる。
【００１０】
また、芯金部に一体に設けられた耳掛け部が、芯金部から延びる複数の延伸部から構成されているので、レーザ加工またはプレスによって加工することができる。従って、ろう付けする工程を省いて、生産性を向上することができる。
【００１１】
更に、モダンの上縁と下縁に設けられたスリットに、耳掛け部の延伸部が挿通してモダンが耳掛け部に取り付けられるので、モダンが耳掛け部の軸周りにねじれるのを防止することができる。
【考案を実施するための最良の形態】
【００１２】
以下、添付図面を参照して本考案の実施形態に係る眼鏡フレームを詳細に説明する。
【００１３】
眼鏡１１は、眼鏡フレーム１２と、眼鏡用レンズ１３とからなる。眼鏡フレーム１２は、図１（Ａ）に示すように眼鏡用レンズ１３を保持する前枠１４と、該前枠１４の両端に蝶番（図示せず）を介して回動可能に取り付けられたテンプル１６とを備えている。
【００１４】
テンプル１６は、基端部が蝶番（図示せず）を介して前枠１４に取り付けられる芯金部１７と、芯金部１７の先端部１７ａから延びる耳掛け部１８とからなる。テンプル１６は、折り曲げ容易でない弾力性のある板状のベータチタン材やＳＵＳ（ステンレス鋼）等からなり、その厚みt１（図２（Ｂ）参照）は、約０．７ｍｍの厚さで構成されている。
【００１５】
本考案に係る耳掛け部１８は、図１（Ｂ）に示すように、芯金部１７の先端部１７ａの上部から延びる第１延伸部１９と、先端部１７ａの中部から延びる第２延伸部２０と、先端部１７ａの下部から延びる第３延伸部２１とから構成されている。第１延伸部１９と第３延伸部２１とは略同じ長さである。第２延伸部２０は、第１延伸部１９と第３延伸部２１と比べて３倍から４倍程長く、湾曲している。また、第２延伸部２０の幅ｔ２は１ｍｍである。これら第１延伸部から第３延伸部１９，２０，２１を被覆して、モダン２３が取り付けられている。
【００１６】
モダン２３は、耳掛け部１８に沿って長手方向に延び、図２（Ａ）に示すように下方に湾曲している。モダン２３は樹脂からなる。モダン２３の上縁には長手方向に沿って第１スリット２４が形成され、下縁には長手方向に沿って第２スリット２５が形成されている。スリット２４とスリット２５との間には、中空部２６が形成されている。
【００１７】
図２（Ｂ）は、耳掛け部１８に取り付けられたモダン２３の断面形状を示す。各スリット２４、２５、２６の幅ｔ３は１ｍｍに、深さｔ４は２ｍｍに形成されている。モダン２３の中心部に形成された中空部２６は正方形断面である。耳掛け部１８の第１延伸部１９がモダン２３の第１スリット２４に、第２延伸部２０が中空部２６に、第３延伸部２１が第２スリット２５に挿通して、モダン２３は耳掛け部１８に取り付けられている。
【００１８】
本実施形態の眼鏡フレーム１２によれば、耳掛け部１８を芯金部１７に一体に設けることで、耳掛け部１８を芯金部１７にろう付けする場合と比べて、強度を向上することができる。
【００１９】
芯金部１７に一体に設けられた耳掛け部１８が、芯金部１７から延びる３本の延伸部１９，２０，２１から構成されているので、レーザ加工またはプレスによって加工することができる。従って、ろう付けする工程を省いて、生産性を向上することができる。
【００２０】
モダン２３の上縁に設けられた第１スリット２４に第１延伸部１９が挿通し、下縁に設けられた第２スリット２５に第３延伸部２１が挿通して、モダン２３が耳掛け部１８に取り付けられる。よって、モダン２３が耳掛け部１８の軸周りにねじれるのを防止することができる。
【００２１】
なお、本考案の眼鏡フレーム１２は前記実施形態に限定されず、種々の変形が可能である。
【００２２】
耳掛け部１８の各延伸部１９〜２１に関しては、モダン２３を取り付けることができ、強度を確保できる限り、その長さ、形状は特に限定されず、図３（Ａ）に示すように第１延伸部１９が、第３延伸部２１より長くてもよい。また、図３（Ｂ）に示すように第２延伸部２０が、直線形状であってもよい。
【００２３】
モダン２３に関しては、耳掛け部１８に取り付けることができ、眼鏡１１を長時間に渡って着用しても、痛みに伴う不快感を使用者に与えることがない限り、その形状は特に限定されない。図３（Ｃ）に示すように、前記実施形態のモダン２３よりも大きく湾曲していてもよく、図３（Ｄ）に示すように、湾曲せずに直線形状であってもよい。
【図面の簡単な説明】
【００２４】
【図１】（Ａ）は本考案の実施形態に係る眼鏡フレームを備えた眼鏡の側面図（Ｂ）は図１（Ａ）の眼鏡フレームのテンプルの側面図。
【図２】（Ａ）は図１（Ａ）のモダンの側面図（Ｂ）は図１（Ａ）のＩ−Ｉ線拡大断面図。
【図３】（Ａ）は本実施形態に係る眼鏡フレームの第１延伸部の変形例を示す側面図（Ｂ）は本実施形態に係る眼鏡フレームの第２延伸部の変形例を示す側面図（Ｃ）と（Ｄ）とは本実施形態に係るモダンの変形例を示す側面図。
【図４】（Ａ）は従来の眼鏡フレームに係るテンプルとモダンとの側面図（Ｂ）は図４（Ａ）のII−II線拡大断面図。
【符号の説明】
【００２５】
１２  眼鏡フレーム
１６  テンプル
１７  芯金部
１８  耳掛け部
１９  第１延伸部
２０  第２延伸部
２１  第３延伸部
２３  モダン
２４  第１スリット
２５  第２スリット
【図１】
0003144966.tif 000003
【図２】
0003144966.tif 000004
【図３】
0003144966.tif 000005
【図４】
0003144966.tif 000006